(57)【要約】【課題】  振動に伴って生じる影響を減少させることが可能なスキャナーの読み取りユニットを提供する。【解決手段】  読み取りユニット２０は、振動吸収効果および可撓性のある材料から構成された振動吸収ユニット２６を備えている。振動吸収ユニット２６は、キャリッジ２１と反射鏡２４に当接するようにキャリッジ２１と反射鏡２４との間に装着される。スキャナー１によってスキャン待ちの書類１００をスキャンする際、振動吸収ユニット２６は、キャリッジ２１の移動に伴って反射鏡２４に生じる振動を効果的に吸収する。そのため、反射鏡２４は動揺することなく安定を保持し、画像光線Ｌを偏位させるような現象を抑制可能である。したがって、非接触イメージセンサー２２によって変換された電気信号の画像は偏位したりぼけたりすることが抑制されるため、スキャナー１の結像品質を向上させる効果を達成することができる。【選択図】  図１
2013005434.tif 000002
【特許請求の範囲】
【請求項１】
キャリッジと、
前記キャリッジ内に固定され、光信号を電気信号に変換する非接触イメージセンサーと、
前記キャリッジに装着され、スキャン待ちの書類を照らすことによって画像光線を発生させる光源と、
前記画像光線の光路上に位置するように前記キャリッジ内に装着され、かつ前記画像光線を一定方向に反射する複数の反射鏡と、
前記キャリッジ内に装着され、前記画像光線をキャッチし、かつ前記画像光線を前記非接触イメージセンサーに入射させるピックアップレンズと、
振動吸収効果のある材料から構成され、かつ前記キャリッジと前記反射鏡とに当接するように前記キャリッジと前記反射鏡との間に装着される複数の振動吸収ユニットと、
を備えることを特徴とするスキャナーの読み取りユニット。
【請求項２】
前記振動吸収ユニットは、前記反射鏡の辺縁の中央位置に取り付けられることを特徴とする請求項１に記載のスキャナーの読み取りユニット。
【請求項３】
前記非接触イメージセンサーは、電荷結合素子であることを特徴とする請求項１に記載のスキャナーの読み取りユニット。
【発明の詳細な説明】
【技術分野】
【０００１】
本発明は、スキャナーの読み取りユニットに関する。
【背景技術】
【０００２】
コンピューターの性能の向上、インターネットおよびマルチメディア技術の発展に伴い、画像処理に用いる応用装置は普及してきた。文字、図面または写真などを処理する際、スキャナーによって処理対象物の画像を撮り、撮った画像をデジタルデーターに変換し、そののち保存、伝送または編集および印刷を行うことが一般的であるため、スキャナーはコンピューターを使用する際に欠かせない重要な画像処理装置である。
【０００３】
市販のスキャナーは、例えば電荷結合素子などの非接触イメージセンサーを採用する光学縮小方式のスキャナーおよび密着イメージセンサーを採用する密着センサー方式のスキャナーの二種類に分けられる。光学縮小方式のスキャナーによって画像を撮る場合、書類に光源の光線を当てて照らすことによって書類の内容を反射し、画像ビームを生成し、そののち複数の反射鏡の反射作用によって画像ビームの光路を変え、最後にピックアップレンズの焦点を非接触イメージセンサーに絞り、光信号を電気信号に変換する。
【先行技術文献】
【特許文献】
【０００４】
【特許文献１】特開平０５−０５６２１７号公報
【発明の概要】
【発明が解決しようとする課題】
【０００５】
従来の光学縮小方式のスキャナーの場合、光源、反射鏡、ピックアップレンズおよび非接触イメージセンサーは、通常、キャリッジに整って装着される。光学縮小方式のスキャナーがスキャン作業を進める際、キャリッジはスキャン待ちの書類に沿って上述した付属品を移動させることによってスキャン待ちの書類の内容を電気信号に変換する。しかしながら、キャリッジが移動して生じた振動は、キャリッジ内の反射鏡に影響を与え、反射経路を偏位させてしまうだけでなく、非接触イメージセンサーがキャッチする光信号に影響を与え、スキャンによって撮った画像データがずれたりぼけたりするような現象を発生させる。
【０００６】
本発明は、振動に伴って生じる影響を減少させることが可能なスキャナーの読み取りユニットを提供することを主な目的とする。
【課題を解決するための手段】
【０００７】
上述の目的を達成するために、本発明によるスキャナーの読み取りユニットは、キャリッジ、非接触イメージセンサー、光源、複数の反射鏡、ピックアップレンズおよび複数の振動吸収ユニットを備える。非接触イメージセンサーは、キャリッジ内に固定され、光信号を電気信号に変換する。光源は、キャリッジに装着され、スキャン待ちの書類を照らすことによって画像光線を発生させる。反射鏡は、画像光線の光路に位置するようにキャリッジ内に装着され、かつ画像光線を一定方向に反射する。ピックアップレンズは、キャリッジ内に装着され、一定方向上の画像光線をキャッチし、かつ画像光線を非接触イメージセンサーに入射させる。振動吸収ユニットは、振動吸収効果のある材料から構成され、かつキャリッジと反射鏡とに当接するようにキャリッジと反射鏡との間に装着される。
【図面の簡単な説明】
【０００８】
【図１】本発明の一実施形態によるスキャナーの読み取りユニットにおいてのスキャナーを示す模式図である。
【図２】本発明の一実施形態によるスキャナーの読み取りユニットを示す分解図である。
【図３】本発明の一実施形態によるスキャナーの読み取りユニットにおいての振動吸収ユニットの配置位置を示す模式図である。
【発明を実施するための形態】
【０００９】
以下、本発明の一実施形態によるスキャナーの読み取りユニットを図面に基づいて説明する。
（一実施形態）
図１および図２に示すように、本発明の一実施形態において、スキャナー１は、スキャン待ちの書類１００を置くための透明ガラス板１０と、スキャン待ちの書類１００のスキャンを光学的に走査する読み取りユニット２０とを備える。読み取りユニット２０は、キャリッジ２１、非接触イメージセンサー２２、二つの光源２３、三つの反射鏡２４、ピックアップレンズ２５、および、三つの振動吸収ユニット２６を備える。
【００１０】
キャリッジ２１は、透明ガラス板１０の下方に一定距離を置いて装着され、図示しないモーターの駆動によって透明ガラス板１０に対し相対移動することができる。
【００１１】
非接触イメージセンサー２２は、キャリッジ２１内に固定され、光信号を電気信号に変換する。本実施形態の非接触イメージセンサー２２は、電荷結合素子を採用するが、これに限らず、相補型金属酸化膜半導体または別の非接触イメージセンサーを採用してもよい。
【００１２】
光源２３は、キャリッジ２１と透明ガラス板１０との間に位置するようにキャリッジ２１に装着される。光源２３は、スキャン待ちの書類１００に光線を放出して当てることによってスキャン待ちの書類１００の内容を反射し、画像光線Ｌを発生させる。
【００１３】
反射鏡２４は、画像光線Ｌの光路に位置するようにキャリッジ２１内に装着され、かつ画像光線Ｌを一定方向に反射する。
【００１４】
ピックアップレンズ２５は、キャリッジ２１内に装着され、一定方向上の画像光線Ｌをキャッチし、かつ画像光線Ｌを非接触イメージセンサー２２に入射させる。その後、非接触イメージセンサー２２は、画像光線Ｌの光信号を電気信号に変換する。
【００１５】
本実施形態の読み取りユニット２０は、振動吸収効果および可撓性のある材料から構成された振動吸収ユニット２６をさらに備えている。図３に示すように、振動吸収ユニット２６は、キャリッジ２１と反射鏡２４に当接するようにキャリッジ２１と反射鏡２４との間に装着される。良好な振動吸収効果を果たすには、振動吸収ユニット２６の装着位置を反射鏡２４に対応する辺縁の中間位置に設定することが好ましいが、これに限らず、必要に応じて装着位置を別の対応できる部位に設定してもよい。本実施形態において、振動吸収ユニット２６は発泡材料から製作されるが、これに限らず、スポンジ、ゴム、スプリング、ウレタンまたは別の振動吸収効果および可撓性のある材料から製作されてもよい。
【００１６】
スキャナー１によってスキャン待ちの書類１００をスキャンする際、キャリッジ２１は駆動され、移動する。反射鏡２４に当接する振動吸収ユニット２６はキャリッジ２１の移動に伴って反射鏡２４に生じる振動を効果的に吸収するため、キャリッジ２１が移動しても、反射鏡２４は動揺することなく安定を保持し、画像光線Ｌを偏位させるような現象を抑制可能である。したがって、非接触イメージセンサー２２によって変換された電気信号の画像は偏位したりぼけたりすることが抑制されるため、スキャナー１の結像品質を向上させる効果を達成することができる。
【００１７】
上述した内容において、反射鏡２４に対応する振動吸収ユニット２６は数が一つであるが、これに限らない。振動が比較的大きい場合、二つ以上の振動吸収ユニット２６を反射鏡２４に当接させることによって振動吸収効果を増大させることができる。
【００１８】
以上、本発明は、上記実施形態になんら限定されるものではなく、発明の趣旨を逸脱しない範囲において種々の形態で実施可能である。
【符号の説明】
【００１９】
１    ：スキャナー
１０  ：透明ガラス板
２０  ：読み取りユニット
２１  ：キャリッジ
２２  ：非接触イメージセンサー
２３  ：光源
２４  ：反射鏡
２５  ：ピックアップレンズ
２６  ：振動吸収ユニット
Ｌ    ：画像光線
１００：スキャン待ちの書類
【図１】
2013005434.tif 000003
【図２】
2013005434.tif 000004
【図３】
2013005434.tif 000005